(57)【要約】【課題】串刺しにした被加熱物を加熱調理器内に設置する際、加熱室内で、調理者自身が、支持軸を支持部材に設置し、支持軸を連結部と連結する必要があるため、支持軸の取り付け性の不便さという課題を有していた。【解決手段】本発明の加熱調理器は、被加熱物を収納可能な加熱室３７と、加熱室内に配された被加熱物を加熱する加熱部３８と、被加熱物を支持する支持軸３９と、支持軸を載置する支持軸アーム４０と、支持軸アームが配されている載置台４１と、支持軸と連結可能な連結部４２と、連結部と接続した移動部４３と、支持軸アームに配された支持軸と連結部が連結するように移動部を支持軸の軸方向に移動させる移動手段４４と、移動部を支持軸の軸方向を中心に回転させることによって、連結部と支持軸と被加熱物を回転させる回転部４５とを備えたものである。【選択図】図２
2017158905.tif 000002
【特許請求の範囲】
【請求項１】
被加熱物を収納可能な加熱室と、
前記加熱室内に配された被加熱物を加熱する加熱部と、
前記被加熱物を支持する支持軸と、
前記支持軸を載置する支持軸アームと、
前記支持軸アームが配されている載置台と、
前記支持軸と連結可能な連結部と、
前記連結部と接続した移動部と、
前記支持軸アームに配された前記支持軸と前記連結部が連結するように前記移動部を前記支持軸の軸方向に移動させる移動手段と、
前記移動部を前記支持軸の軸方向を中心に回転させることによって、前記連結部と支持軸と前記被加熱物を回転させる回転部とを備えた加熱調理器。
【請求項２】
前記加熱室の開口面に対向する位置に開閉自在に設けた扉と、
前記扉の開閉と連動して前記載置台を移動させる載置台移動手段とを、さらに有し、
前記載置台移動手段による前記載置台の移動は、水平方向もしくは斜め下方方向のうちの少なくとも一方の方向である請求項１に記載の加熱調理器。
【請求項３】
前記支持軸は前記加熱室外において前記支持軸アームに載置し、
前記載置台を手動で前記加熱室内における前記支持軸の軸方向と前記連結部の軸方向が同一である位置に配する請求項１に記載の加熱調理器。
【請求項４】
前記連結部は自動で前記支持軸と連結するよう構成した請求項１から３のいずれか１項に記載の加熱調理器。
【発明の詳細な説明】
【技術分野】
【０００１】
本発明は一般家庭やレストランなどの業務用などで使用する加熱調理器に関するものである。
【背景技術】
【０００２】
従来、一般の加熱調理器として、回転調理を行う際、串刺しにした被加熱物を加熱調理器内に直接設置する構成が知られている（例えば、特許文献１参照）。特許文献１に記載された従来の加熱調理器は、被加熱物を加熱するための発熱手段を有する加熱室と、被加熱物を串刺し状態で支持して加熱室内に横架する支持軸と、加熱調理器本体に設けられ、前記支持軸の一端部に設けた被連結部と連結可能な連結部を有する回転駆動手段と、連結部と対向する位置に配備され、支持軸の他端部を回転自在に支持するための支持部材とを有する加熱調理器において、回転駆動手段の連結部を加熱室の一方の側壁の外部に設けると共に、支持部材を加熱室の他方の側壁に着雑可能に突設し、更に支持軸の全長寸法を加熱室の開口の幅寸法より所定寸法短く設定されている。
【先行技術文献】
【特許文献】
【０００３】
【特許文献１】実開昭６４−０５６１９７号公報
【発明の概要】
【発明が解決しようとする課題】
【０００４】
しかしながら、上記従来の構成では、串刺しにした被加熱物を加熱調理器内に設置する際、加熱室内で、調理者自身が、支持軸の他端部を支持部材に設置し、支持軸の一端部に設けた被連結部を加熱室の一方の側壁の外部に設けた連結部と連結する必要がある。この連結部は加熱室の一方の側壁の外部に設けられているため、支持軸の取り付け性の不便さという課題を有していた。
【０００５】
本発明は、前記従来の課題を解決するもので、支持軸と連結部の取り付け性の不便さを改善した加熱調理器を提供することを目的とする。
【課題を解決するための手段】
【０００６】
前記従来の課題を解決するために、本発明の加熱調理器は、
被加熱物を収納可能な加熱室と、
前記加熱室内に配された被加熱物を加熱する加熱部と、
前記被加熱物を支持する支持軸と、
前記支持軸を載置する支持軸アームと、
前記支持軸アームが配されている載置台と、
前記支持軸と連結可能な連結部と、
前記連結部と接続した移動部と、
前記支持軸アームに配された前記支持軸と前記連結部が連結するように前記移動部を前記支持軸の軸方向に移動させる移動手段と、
前記移動部を前記支持軸の軸方向を中心に回転させることによって、前記連結部と支持軸と前記被加熱物を回転させる回転部とを備えたものである。
【０００７】
本発明にかかる加熱調理器によれば、支持軸と連結部の取り付け性の不便さを改善することができる。
【発明の効果】
【０００８】
本発明の加熱調理器は、支持軸と連結部の取り付け性の不便さを改善することで、調理者が支持軸と連結部とを手動で直接連結させる必要がなくなり、回転調理を容易に調理することを実現することができる。
【図面の簡単な説明】
【０００９】
【図１】本発明の実施の形態１における加熱調理器の斜視図
【図２】本発明の実施の形態１における加熱調理器の模式断面図
【図３】本発明の実施の形態１における加熱調理器の要部を示す斜視図
【図４】本発明の実施の形態１における加熱調理器の要部を示す斜視図
【図５】本発明の実施の形態１における加熱調理器の扉の開閉動作を示す模式図
【図６】本発明の実施の形態１における加熱調理器の載置台動作を示す模式図
【図７】本発明の実施の形態１における加熱調理器の支持軸と連結部の連結動作を示す模式図
【図８】本発明の実施の形態１における加熱調理器の支持軸と連結部の他の連結動作を示す模式図
【図９】本発明の実施の形態１における加熱調理器の支持軸と連結部の他の連結動作を示す模式図
【図１０】本発明の実施の形態１における加熱調理器の支持軸と連結部の他の連結動作を示す模式図
【発明を実施するための形態】
【００１０】
第１の発明は、
被加熱物を収納可能な加熱室と、
前記加熱室内に配された被加熱物を加熱する加熱部と、
前記被加熱物を支持する支持軸と、
前記支持軸を載置する支持軸アームと、
前記支持軸アームが配されている載置台と、
前記支持軸と連結可能な連結部と、
前記連結部と接続した移動部と、
前記支持軸アームに配された前記支持軸と前記連結部が連結するように前記移動部を前記支持軸の軸方向に移動させる移動手段と、
前記移動部を前記支持軸の軸方向を中心に回転させることによって、前記連結部と支持軸と前記被加熱物を回転させる回転部とを備えた加熱調理器である。
【００１１】
これによれば、支持軸アームに支持軸を載置した際、支持軸を連結部に手動で直接連結させる必要がないため、これまで煩わしかった支持軸の連結部との取り付け性の不便さを改善することができる。
【００１２】
第２の発明は、特に、第１の発明において、
前記加熱室の開口面に対向する位置に開閉自在に設けた扉と、
前記扉の開閉と連動して前記載置台を移動させる載置台移動手段とを、さらに有し、
前記載置台移動手段による前記載置台の移動は、水平方向もしくは斜め下方方向のうちの少なくとも一方の方向であるよう構成したものである。
【００１３】
これによれば、扉の開の状態で、載置台に配されている支持軸アームに被加熱物を支持した支持軸を配し、扉を閉の状態にしようとすると、被加熱物は加熱室内部に収納される。さらに、載置台の移動を、水平方向もしくは斜め下方方向のうちの少なくとも一方の方向にすることで、被加熱物が載置面と加熱室入口上部の間に配されている場合は、被加熱物を加熱室内に触れることなく、スムーズに収納することができる。
【００１４】
第３の発明は、特に、第１の発明において、
前記支持軸は前記加熱室外にて、前記支持軸アームに載置し、
前記載置台を手動で前記加熱室内における前記支持軸の軸方向と前記連結部の軸方向が同一である位置に配するものである。
【００１５】
これによれば、支持軸を加熱室内部にて支持軸アームに載置する必要がないため、支持軸の取り付け、取り出しが簡易にでき、これまで煩わしかった支持軸の取り付け性の不便さを改善することができる。
【００１６】
第４の発明は、特に、第１から第３のいずれか１つの発明において、
前記連結部は自動で前記支持軸と連結するよう構成したものである。
【００１７】
これによれば、支持軸アームに支持軸を載置した際、支持軸を連結部に手動で直接連結させる必要がないため、これまで煩わしかった支持軸の連結部との取り付け性の不便さを改善することができる。
【００１８】
以下、本発明の実施の形態について、図面を用いて詳細に説明する。なお、この実施の形態によって本発明が限定されるものではない。
【００１９】
（実施の形態１）
図１は、本発明の実施の形態１における加熱調理器の斜視図である。図１において、加熱調理器は、本体３１と、本体３１には操作手段３２と、扉３５が設けられており、扉３５には取手３４が設けられている。取手３４を持ち、扉３５を開けることで、本体３１の内部に被加熱物を収納することができる加熱室３７を有している。また、扉３５は加熱室３７の開口面に対向する位置に開閉自在に設けられたものであり、扉３５には、本体３１の内部である加熱室３７内を目視することができるようにガラス窓３３が形成されており、調理段階の本体３１内にある被加熱物を観察することができる。操作手段３２は、加熱調理器の電源スイッチ、加熱メニュー、タイマー時間の設定、温度設定などの操作を可能とする。
【００２０】
図２は、本発明の実施の形態１における加熱調理器の模式断面図である。図２において、加熱調理器は、本体３１内に被加熱物３６を収納し調理する加熱室３７を備えている。加熱室３７内で被加熱物３６は支持軸３９で固定され、支持軸３９は支持軸アーム４０に回転自在に載置される。換言すれば、支持軸３９は、被加熱物３６を支持するものである。支持軸アーム４０は支持軸３９を載置するとともに載置台４１に配されている。加熱室３７内には被加熱物３６を加熱する加熱部３８を加熱室３７内の上下に設けている。支持軸アーム４０は、扉３５の方向から見て載置台４１の左右二箇所に配されている。
【００２１】
支持軸３９は調理時には連結部４２と連結する位置にあり、支持軸３９の軸方向と連結部４２の軸方向が一致している。連結部４２には移動部４３が接続されており、移動手段４４によって、移動部４３は支持軸３９および連結部４２の軸方向に前後移動（図２中、左右方向）し、移動部４３が移動することにより連結部４２も前後移動することで、連結部４２は支持軸３９と連結した状態と、連結しない状態とすることができる。つまり、連結部４２は自動で支持軸３９と連結するよう構成されている。また、回転部４５は移動部４３と連結している。調理時には連結部４２と支持軸３９は連結しており、回転部４５によって移動部４３を回転させることにより、移動部４３は支持軸３９の軸方向を中心に回転させられ、連結部４２と支持軸３９と被加熱物３６を回転させることができる。
【００２２】
図３は、本発明の実施の形態１における加熱調理器の支持軸３９と支持軸アーム４０の
構成を示す模式斜視図である。図３のように、支持軸３９は金属棒で形成され、四角柱形状の中央部と、中央部から軸方向４８の両端から延びた支持軸受部４６を有している。支持軸３９の一端部には支持軸受部４６から延びたストッパー６２を有しており、支持軸３９の他端部には支持軸受部４６から延びた支持軸連結部４７を有している。支持軸受部４６を支持軸アーム４０に対して上方向から配することで、支持軸受部４６は、支持軸アーム４０と係合可能に構成されている。ストッパー６２は支持軸３９の軸方向４８移動を規制しており、支持軸３９の軸方向４８を中心としてスムーズに回転できるように構成されている。支持軸連結部４７は、連結部４２と連結可能な構成となっている。また、載置台４１には、これまでのトーストを焼くための網、グリル調理をするためのプレート、被加熱物３６から落ちる油を受けるための受け皿を適時設置することで、加熱室３７内で調理することもできる。
【００２３】
図４は、本発明の実施の形態１における加熱調理器の連結部４２の一端を示す斜視図である。支持軸３９の他端部に形成された支持軸連結部４７が四角錐の形状であるため、連結部４２の連結部穴４９は図４に示すように四角形と４５度ずらせたものを組み合わせた形状とすることで、支持軸３９を支持軸アーム４０に配する際に、配する向きを意識せずに配したとしても、支持軸連結部４７と連結部穴４９がスムーズに連結するように構成している。その他の構成としては、連結部４２の形状は歯車で、支持軸連結部４７の形状も歯車で、支持軸３９を加熱室３７に設置した際、連結部４２と支持軸連結部４７が連結し、回転部４５によって、移動部４３は支持軸３９の軸方向を中心に回転させることによって、連結部４２と支持軸３９と被加熱物３６を回転させることができる構成も考えられる。
【００２４】
図５は、本発明の実施の形態１における加熱調理器の載置台４１を加熱室３７へ収納する動作を示した模式図である。図５のように、被加熱物３６は支持軸３９に支持されており、支持軸３９は支持軸アーム４０に配されている。今回示した模式図は一つの例であるが、図５（Ａ）に示すように、加熱室３７の外に扉３５を開くと、載置台４１が加熱室３７の外に出てくるように載置台移動手段５１が設けられている。そのため、被加熱物３６は、加熱室３７の外で、支持軸アーム４０に取り付けたり、取り外したりすることができる。載置台移動手段５１は扉３５の開閉と連動して載置台４１を移動させる構成である。
【００２５】
そして、図５（Ｂ）に示すように、扉３５を閉めると、載置台４１は載置台移動手段５１により、載置台移動軌跡５０を通り、加熱室３７内へと移動する。この加熱室３７内へ移動した載置台４１の位置は、支持軸３９の軸方向と連結部４２の軸方向とが一致する位置で、支持軸３９と連結部４２とは離間した位置へ移動する。載置台４１が加熱室３７内へと移動するとき、被加熱物３６と支持軸３９と支持軸アーム４０と載置台４１とが、加熱室３７内部の壁面に当接することは無く、連結部４２とも当接することはない。
【００２６】
この載置台移動軌跡５０は、図５（Ａ）のように水平方向もしくは斜め下方方向の少なくとも一方の方向にすることで、被加熱物３６が加熱室３７外に配されており、載置台４１と加熱室３７入口上部の高さ方向の間に配されている場合は、被加熱物３６を加熱室３７内面に触れることなく、スムーズに収納することができる。このように、扉３５の開閉と連動し、載置台４１が移動することで、被加熱物３６を加熱室３７内で支持軸アーム４０に取り付けたり、取り外したりする必要がないため、使用者の手間を軽減することができる。
【００２７】
図６は、本発明の実施の形態１における加熱調理器の載置台４１を加熱室３７へ収納する図５とは異なる動作を示した模式図である。図６のように、被加熱物３６は支持軸３９に支持されており、支持軸３９は支持軸アーム４０に配されている。今回示した模式図は一つの例であるが、図６（Ａ）に示すように、加熱室３７の外で、被加熱物３６を支持軸
３９に支持させ、支持軸３９を支持軸アーム４０に配する。加熱室３７には載置台４１を保持するとともに、載置台４１を所定の場所に導くレール（図示せず）が設けられている。使用者は図６（Ｂ）に示すように、載置台４１を加熱室３７内のレール上に載置して加熱室３７内へと配置する。この載置台４１の配置した位置は、支持軸３９の軸と連結部４２の軸が一致する位置である。つまり、図６の構成は、載置台４１を手動で加熱室３７内へ導く構成である。このように、被加熱物３６を加熱室３７内で付け外しする必要がないため、お客様の手間を軽減することができる。
【００２８】
図７は、本発明の実施の形態１における加熱調理器の支持軸３９と連結部４２の連結動作を模式図として示した。図７のように、移動手段４４によって、移動部４３が支持軸３９の軸方向４８に移動することで、連結部４２も支持軸３９の軸方向４８に移動し、連結部４２を支持軸３９と連結させたり（図７（Ｂ））、連結させなかったり（図７（Ａ））することができる。また、連結部４２を支持軸３９と連結させた状態（図７（Ｂ））で、回転部４５により移動部４３を支持軸３９の軸方向４８を中心に回転させることによって、連結部４２と支持軸３９と被加熱物３６を回転させることができる。そのため、被加熱物３６は回転しながら、加熱部３８で加熱されることで、均一に加熱されることができ、調理性能を向上させることができる。また、被加熱物３６を回転させながら加熱することで、被加熱物３６から出た油が、回転しながら被加熱物３６の表面をコーティングしながら加熱することとなり、表面を油による揚げ焼きをすることができるため、被加熱物３６表面がパリッとした食感で表面を焼き固め、内部に肉汁を閉じ込めながら焼くことができる。そのため、回転調理は通常のグリル調理と比べ、美味しく調理ができ、昔から外国では取り入れられてきた。特に今回、連結部４２と支持軸３９が自動で連結するように構成したため、従来の構成とは違い、支持軸アーム４０に支持軸３９を載置した際、使用者が支持軸３９を連結部４２に直接連結させる必要がないため、これまで煩わしかった支持軸３９の連結部４２との取り付け性の不便さを改善することができる。
【００２９】
図８は、本発明の実施の形態１における加熱調理器の支持軸３９と連結部４２の他の連結動作を示した模式図である。図８のように、移動部４３は、ドライブギア５２と移動軸５７で構成され、移動軸５７を中心にドライブギア５２が回転可能に配されている。ドライブギア５２には連結部４２が一体的に接続されている。移動手段４４は、ばね５３とソレノイド５４で構成され、ばね５３はソレノイド５４とドライブギア５２の間に配され、ソレノイド５４は移動軸５７を軸方向４８に移動可能としている。回転部４５は、モータ５６とモータギア５５で構成されており、モータギア５５はドライブギア５２と歯合している。支持軸３９の軸方向と連結部４２の軸方向は一致する位置に配されている。図８（Ａ）の状態では、連結部４２の連結部穴４９と支持軸３９の支持軸連結部４７とは離間している。すなわち、この図８（Ａ）の状態で、図５（Ａ）に示すように加熱室３７の外で、被加熱物３６は支持軸アーム４０に取り付け、図５（Ｂ）に示すように、被加熱物３６を加熱室３７内へと移動させる際に、連結部４２と支持軸３９の支持軸連結部４７とは当接することがなく、被加熱物３６を加熱室３７内へ移動することができる。
【００３０】
図８（Ａ）の状態からソレノイド５４の駆動によりばね５３は伸縮を行い、移動軸５７を支持軸３９の軸方向４８に移動させる。移動軸５７の移動につれて、ドライブギア５２はモータギア５５をスライドし、連結部４２も移動し、図８（Ｂ）に示す連結部４２の連結部穴４９が支持軸３９の支持軸連結部４７に連結する。次に、図８（Ｂ）に示す状態でモータ５６が駆動することでモータギア５５が回転し、モータギア５５と歯合するドライブギア５２が連動して支持軸３９の軸方向４８を中心に回転する。ドライブギア５２が回転することにより、連結部４２も支持軸３９の軸方向４８を中心に回転し、支持軸３９、被加熱物３６も回転する。図８（Ｂ）に示す状態で被加熱物３６は回転しながら、加熱部３８で加熱されることとなる。加熱部での加熱動作が完了後には、図８（Ｂ）の状態から図８（Ａ）の状態に移動部４３は移動する。
【００３１】
このように、連結部４２と支持軸３９が自動で連結するように構成したため、従来の構成とは違い、支持軸アーム４０に支持軸３９を載置した際、使用者が支持軸３９を連結部４２に直接連結させる必要がないため、これまで煩わしかった支持軸３９の連結部４２との取り付け性の不便さを改善することができる。
【００３２】
図９は、本発明の実施の形態１における加熱調理器の支持軸３９と連結部４２の他の連結動作を示した模式図である。図９のように、移動部４３は、ドライブギア５２と移動軸５７とウォームギア６０で構成され、移動軸５７を中心にドライブギア５２とウォームギア６０が回転可能に配されている。移動軸５７の先端には連結部４２が配されている。移動手段４４は、ばね５３と爪５９とばね保持部５８で構成され、爪５９とばね保持部５８の距離は常に一定に保持されている。爪５９とウォームギア６０とは、扉３５の開閉と連動して係合する構成であり、扉３５の開時には爪５９とウォームギア６０とは、非係合状態となり、扉３５の閉時には爪５９とウォームギア６０とは、係合状態となる。ばね５３は、ドライブギア５２とばね保持部５８の間に伸縮自在に配されている。回転部４５は、モータ５６とモータギア５５で構成されており、モータギア５５はドライブギア５２と歯合している。
【００３３】
扉３５の開閉と連動して、爪５９は移動し、扉３５が閉まる際、図９（Ａ）に示すように爪５９はウォームギア６０と接する。次に、モータ５６が駆動することで、モータギア５５は支持軸３９の軸方向４８を中心に回転し、モータギア５５の回転は、ドライブギア５２に連動し、移動軸５７、ウォームギア６０も支持軸３９の軸方向４８を中心に回転するにつれ、爪５９によりウォームギア６０を支持軸３９の軸方向４８に移動させることで、移動軸５７、連結部４２も支持軸３９の軸方向４８に移動し、図９（Ｂ）に示すように連結部４２は支持軸３９と連結する。この際、ばね５３はドライブギア５２とばね保持部５８で圧縮される。
【００３４】
そして、モータ５６が駆動を止め、扉３５が開けられる際、爪５９がウォームギア６０から外れると共に、ばね５３の圧縮が解放され、もとのばね長に戻るように、支持軸の軸方向４８に移動することで、移動軸５７、連結部４２は移動し、図９（Ａ）に示すように支持軸３９との連結は解かれる。このように、連結部４２と支持軸３９が自動で連結するように構成したため、従来の構成とは違い、支持軸アーム４０に支持軸３９を載置した際、支持軸３９を連結部４２に手動で直接連結させる必要がないため、これまで煩わしかった支持軸３９の連結部４２との取り付け性の不便さを改善することができる。
【００３５】
図１０は、本発明の実施の形態１における加熱調理器の支持軸３９と連結部４２の他の連結動作を示した模式図である。図１０のように、回転部４５はモータ５６と操作軸６１で構成されている。モータ５６が駆動することで、図１０（Ａ）に示すように、操作軸６１は支持軸３９の軸方向４８を中心に回転し、操作軸６１の回転は、移動部４３、連結部４２に連動し、回転させる。移動部４３の内周側と操作軸６１の外周側には各々ねじ部が形成されている。次に、図１０（Ｂ）に示すように、移動手段４４が作動すると、移動手段４４と移動部４３は接し、移動手段４４は移動部４３の回転を禁止する。移動部４３の内部はネジ山が切られているため、操作軸６１のねじ山をスライドしていくことで、図１０（Ｃ）のように、移動部４３と移動手段４４は支持軸３９の軸方向４８に移動していき、連結部４２と支持軸３９が接するところまで移動し、連結部４２が支持軸３９の軸方向４８を中心に回転しているため、その回転は支持軸３９を回転させ、被加熱物３６も回転させることができる。また、連結部４２と支持軸３９の連結をとくためには、モータ５６を逆回転することで、支持軸３９の軸方向４８の先程とは逆方向に移動させる必要がある。このように、連結部４２と支持軸３９が自動で連結するように構成したため、従来の構成とは違い、支持軸アーム４０に支持軸３９を載置した際、支持軸３９を連結部４２に手
動で直接連結させる必要がないため、これまで煩わしかった支持軸３９の連結部４２との取り付け性の不便さを改善することができる。
【００３６】
以上のように本実施の形態の加熱調理器によれば、被加熱物３６を収納可能な加熱室３７と、加熱室３７内に配された被加熱物３６を加熱する加熱部３８と、被加熱物３６を支持する支持軸３９と、支持軸３９を載置する支持軸アーム４０と、支持軸アーム４０が配されている載置台４１と、支持軸３９と連結可能な連結部４２と、連結部４２と接続した移動部４３と、支持軸アーム４０に配された支持軸３９と連結部４２が連結するように移動部４３を支持軸３９の軸方向４８に移動させる移動手段４４と、移動部４３を支持軸３９の軸方向４８を中心に回転させることによって、連結部４２と支持軸３９と被加熱物３６を回転させる回転部４５とを備えることにより、支持軸アーム４０に支持軸３９を載置した際、支持軸３９を連結部４２に手動で直接連結させる必要がないため、これまで煩わしかった支持軸３９の連結部４２との取り付け性の不便さを改善することができる。
【００３７】
また、扉３５の開の状態で、載置台４１に配されている支持軸アーム４０に被加熱物３６を支持した支持軸３９を配し、扉３５を閉の状態にしようとすると、被加熱物３６は加熱室３７内部に収納され、調理開始と共に移動手段４４が作動し、回転部４５が駆動し、連結部４２と支持軸３９が連結するように移動部４３を支持軸３９の軸方向４８に移動させ、連結部４２と支持軸３９が連結し、連結部４２と支持軸３９と被加熱物３６を回転させることで、これまで調理者が自身で支持軸３９と連結部４２の取り付けを行っていた取り付け性の不便さを改善することで、調理者が支持軸３９と連結部４２とを手動で直接連結させる必要がなくなり、回転調理を実現することができる。
【産業上の利用可能性】
【００３８】
以上のように、本発明の加熱調理器は、支持軸と連結部の取り付けを行っていた取り付け性の不便さを改善することで、調理者が支持軸と連結部とを手動で直接連結させる必要がなくなり、回転調理を実現することができるため、家庭用または業務用の加熱調理器として有用である。
【符号の説明】
【００３９】
３１  本体
３２  操作手段
３３  ガラス窓
３４  取手
３５  扉
３６  被加熱物
３７  加熱室
３８  加熱部
３９  支持軸
４０  支持軸アーム
４１  載置台
４２  連結部
４３  移動部
４４  移動手段
４５  回転部
４６  支持軸受部
４７  支持軸連結部
４８  軸方向
４９  連結部穴
５０  載置台移動軌跡
５１  載置台移動手段
５２  ドライブギア
５３  ばね
５４  ソレノイド
５５  モータギア
５６  モータ
５７  移動軸
５８  ばね保持部
５９  爪
６０  ウォームギア
６１  操作軸
【図１】
2017158905.tif 000003
【図２】
2017158905.tif 000004
【図３】
2017158905.tif 000005
【図４】
2017158905.tif 000006
【図５】
2017158905.tif 000007
【図６】
2017158905.tif 000008
【図７】
2017158905.tif 000009
【図８】
2017158905.tif 000010
【図９】
2017158905.tif 000011
【図１０】
2017158905.tif 000012